(57)【要約】【課題】少なくともエンジンオイルに混入する水の混入の程度を示す指標値を推定する。【解決手段】混入推定装置は、車両に搭載され、アルコール燃料を使用可能なエンジン（１１）におけるエンジンオイル（１５）の温度を検出するオイル温度検出手段（２１）と、エンジンオイルに混入するアルコール燃料の混入の程度を示す第１指標値を検出する燃料検出手段（３０５）と、検出された温度及び検出された第１指標値に基づいて、エンジンオイルに混入する水の混入の程度を示す第２指標値を推定する水推定手段（３０６）とを備える。【選択図】図１
2008121621.tif 000002
【特許請求の範囲】
【請求項１】
車両に搭載され、アルコール燃料を使用可能なエンジンにおけるエンジンオイルの温度を検出するオイル温度検出手段と、
前記エンジンオイルに混入する前記アルコール燃料の混入の程度を示す第１指標値を検出する燃料検出手段と、
前記検出された温度及び前記検出された第１指標値に基づいて、前記エンジンオイルに混入する水の混入の程度を示す第２指標値を推定する水推定手段と
を備えることを特徴とする混入推定装置。
【請求項２】
前記水推定手段は、
前記検出された温度及び前記検出された第１指標値に基づいて、前記エンジンオイルに混入する前記水の変化の程度を示す第１変化値を推定する第１変化推定手段を含み、
前記推定された第１変化値を積算して前記第２指標値を推定することを特徴とする請求項１に記載の混入推定装置。
【請求項３】
前記燃料検出手段は、
前記検出された温度に基づいて、前記エンジンオイルに混入する前記アルコール燃料の変化の程度を示す第２変化値を推定する第２変化推定手段を含み、
前記推定された第２変化値を積算して前記第１指標値を検出することを特徴とする請求項１又は２に記載の混入推定装置。
【請求項４】
前記第２変化推定手段は、
前記アルコール燃料のアルコール濃度を検出する濃度検出手段を含み、
更に、前記検出されたアルコール濃度に基づいて、前記第２変化値を推定することを特徴とする請求項３に記載の混入推定装置。
【請求項５】
前記オイル温度検出手段は、
前記エンジンを冷却する冷却水の水温を検出する水温検出手段を含み、
前記検出された水温に基づいて、前記エンジンオイルの温度を検出することを特徴とする請求項１乃至４のいずれか一項に記載の混入推定装置。
【請求項６】
車両に搭載され、アルコール燃料を使用可能なエンジンにおけるエンジンオイルの温度を検出するオイル温度検出工程と、
前記エンジンオイルに含まれる前記アルコール燃料の混入の程度を示す第１指標値を検出する燃料検出工程と、
前記検出された温度及び前記検出された第１指標値に基づいて、前記エンジンオイルに含まれる前記水の混入の程度を示す第２指標値を推定する水推定工程と
を備えることを特徴とする混入推定方法。
【請求項７】
請求項１乃至５のいずれか一項に記載の混入推定装置と、
前記検出された第１指標値が第１閾値より大きいか否かを判定する第１判定手段と、
前記推定された第２指標値が第２閾値より大きいか否かを判定する第２判定手段と、
前記第１及び第２判定手段のうち少なくとも一方が大きいと判定した場合に、前記車両を前記エンジンオイルの温度を上昇させる回復運転モードへ移行させる移行手段と
を備えることを特徴とするエンジンオイル回復装置。
【請求項８】
前記移行手段は、
前記車両が前記回復運転モードへ移行した回数を計数する計数手段と、
前記計数された回数が第３閾値より大きいか否かを判定する第３判定手段と、
前記計数された回数が第３閾値より大きいと判定された場合に警告を行う警告手段と
を有することを特徴とする請求項７に記載のエンジンオイル回復装置。
【請求項９】
前記移行手段は、
前記車両が前記回復運転モードへ移行したことを通知する通知手段を有することを特徴とする請求項７又は８に記載のエンジンオイル回復装置。
【発明の詳細な説明】
【技術分野】
【０００１】
本発明は、例えばアルコール燃料を使用可能なエンジンを備える車両において、少なくともエンジンオイルに混入する水の混入の程度を示す指標値を推定する混入推定装置及び方法、並びに少なくとも水により希釈されたエンジンオイルを回復させるエンジンオイル回復装置に関する。
【背景技術】
【０００２】
エンジンにおいて燃料や水がエンジンオイルに混入することにより、エンジンオイルが希釈されると、例えば、エンジンオイルの潤滑性の低下等が生ずる。
【０００３】
この種の推定装置には、例えば、エンジン温度、エンジン回転数及びエンジン負荷から、エンジンオイルを希釈する燃料の増加量を算出し、該算出された増加量を積算して、エンジンオイルを希釈している燃料量を推定するオイル希釈燃料推定装置がある（特許文献１参照）。或いは、エンジンの所定温度領域毎に設定された指標に応じて、エンジンオイルを希釈している燃料量を算出するオイル希釈燃料推定装置がある（特許文献２参照）。
【０００４】
【特許文献１】特開２００４−１３７９５３号公報
【特許文献２】特開２００４−１９７５９１号公報
【発明の開示】
【発明が解決しようとする課題】
【０００５】
しかしながら、上述した背景技術によれば、エンジンオイルを希釈している、ガソリン、重油等の燃料量を推定するにとどまり、水の混入によるエンジンオイルの希釈は考慮されていない。即ち、少なくとも水によって希釈される（或いは、アルコール燃料を構成する少なくともアルコール及び水によって希釈される）エンジンオイルの希釈度や、このような少なくとも水のエンジンオイルへの混入量を特定することはできない。ここで特に、エンジンオイル中の水分量が増加すると、エンジンの潤滑低下、燃費悪化、破損等を生ずる可能性があるという技術的問題点がある。また、エンジンオイル中のアルコール量が増加すると、水のエンジンオイルへの混入を促進するという技術的問題点がある。
【０００６】
本発明は、例えば、上記問題点に鑑みてなされたものであり、少なくともエンジンオイルに混入する水の混入の程度を示す指標値を推定する混入推定装置及び方法、並びにエンジンオイル回復装置を提供することを課題とする。
【課題を解決するための手段】
【０００７】
本発明の混入推定装置は、上記課題を解決するために、車両に搭載され、アルコール燃料を使用可能なエンジンにおけるエンジンオイルの温度を検出するオイル温度検出手段と、前記エンジンオイルに混入する前記アルコール燃料の混入の程度を示す第１指標値を検出する燃料検出手段と、前記検出された温度及び前記検出された第１指標値に基づいて、前記エンジンオイルに混入する水の混入の程度を示す第２指標値を推定する水推定手段とを備える。
【０００８】
本発明の混入推定装置によれば、例えば自動車等の車両に搭載され、アルコール燃料を使用可能な内燃機関であるエンジンの動作時に、混入推定装置は、少なくともエンジンオイルに混入する水の混入の程度を示す指標値を推定する。ここに本発明に係る「アルコール燃料」とは、アルコールとガソリン等の他の燃料とを混合した燃料（所謂、アルコール混合燃料）、又はアルコールのみの燃料をいう。
【０００９】
また、本発明に係る「指標値」とは、典型的には、エンジンオイルに混入する水又は燃料の混入の程度を定量的に示す値であり、混入量や濃度であるが、より一般的には、水又は燃料の混入に係る何らかの物理量やパラメータという意味である。「混入量」は、エンジンオイルの単位量当りの混入量或いは絶対量でもよい。いわば広義の混入量を意味してもよい。他方、「濃度」は、百分率或いは割合でもよいし、比であってもよい。いわば広義の濃度を意味してもよい。
【００１０】
エンジンオイルには、エンジンのシリンダとピストンとの間から滴下した余剰燃料、及びブローバイガスに含まれる水が混入する。本願発明者の研究によれば、アルコールの有する親水性から、エンジンオイルに混入しているアルコール燃料と水との間には、一対一的な対応関係が存在すると考察される。そこで本発明では、エンジンオイルに混入しているアルコール燃料の混入の程度を示す第１指標値を検出することによって、エンジンオイルに混入する水の混入の程度を示す第２指標値を推定することができる。
【００１１】
オイル温度検出手段は、エンジンオイルの温度を検出する。エンジンオイルの温度は、例えばエンジンのオイルパンに温度センサを設けて直接検出してもよいし、冷却水の水温、エンジン負荷等から間接的に検出してもよい。エンジンオイルの温度を直接検出すれば、検出精度の向上が期待できる。一方、間接的に検出すれば、既存の水温センサ等を流用することができ製造コストの削減が期待できる。
【００１２】
燃料検出手段は、エンジンオイルに混入するアルコール燃料の混入の程度を示す第１指標値を検出する。第１指標値は、例えば燃料噴射量、エンジンオイルの温度等から間接的に検出してもよいし、エンジンオイル性状センサをオイルパンに設けて直接検出してもよい。
【００１３】
水推定手段は、検出されたエンジンオイルの温度、及び検出された第１指標値に基づいて、エンジンオイルに混入する水の混入の程度を示す第２指標値を推定する。具体的には例えば、第１指標値に応じた、エンジンオイルの温度と第２指標値との関係を定めるマップから第２指標値を求めればよい。或いは、所定の演算式により第２指標値を求めればよい。このようなマップは、例えば、エンジンオイルの温度、エンジンオイル中のアルコール濃度、水の溶解度等のパラメータを様々に変化させたシミュレーションの結果から、エンジンオイルの温度と第２指標値との関係を特定して構成すればよい。
【００１４】
本発明によれば、エンジンオイル中に親水性を有するアルコールが存在することによって、エンジンオイルへ混入しやすいブローバイガス中の水について、その水に係る指標値を推定することで適切に対処できるので、エンジンに重大な損傷を与えることを未然に防止することができる。具体的には、指標値に応じて、例えばエンジンオイルから水分を蒸発させる措置を行ったり、操縦者に警告をしたりすることによって、エンジンが損傷することを防止することができる。
【００１５】
特に、ガソリン燃料に比べて燃料噴射量が多く、エンジンオイルに水が混入しやすいアルコール燃料を用いる場合に、エンジンオイルに混入する少なくとも水に係る指標値の推定は、実用上極めて望ましい。具体的には例えば、燃料中のアルコール濃度が１００％に近い場合、エンジンの冷却水温度が摂氏５０〜６０度である温間時において、ガソリン燃料の約１．５倍の燃料噴射量が必要であり、外気温が摂氏−１０〜−２０度である低温時において、エンジンを始動させるには、ガソリン燃料の約５〜８倍もの燃料噴射量が必要であることが本願発明者の研究により判明している。
【００１６】
以上の結果、本発明の混入推定装置によれば、エンジンオイルの温度、及びエンジンオイルに混入するアルコール燃料の混入の程度を示す第１指標値を検出し、該検出された温度及び第１指標値に基づいて、エンジンオイルに混入する水の混入の程度を示す第２指標値を推定することができる。
【００１７】
本発明の混入推定装置の一態様では、前記水推定手段は、前記検出された温度及び前記検出された第１指標値に基づいて、前記エンジンオイルに混入する前記水の変化の程度を示す第１変化値を推定する第１変化推定手段を含み、前記推定された第１変化値を積算して前記第２指標値を推定する。
【００１８】
この態様によれば、第１変化推定手段は、検出されたエンジンオイルの温度及び検出された第１指標値に基づいて、エンジンオイルに混入する水の変化の程度を示す第１変化値を推定する。ここに本発明に係る「変化値」とは、典型的には、変化量又は変化率であり、指標値が示す物理量又はパラメータに対応した値である。具体的には例えば、指標値が混入量であれば、変化値は、該混入量の変化量又は変化率を示す。変化値は、エンジンオイルに混入している水が減少する場合、例えば、変化値が量を示していれば負の値を、率であれば１未満の値又は１００％未満の値を示すようにしてもよい。
【００１９】
水推定手段は、定期的に又は不定期的に第１変化推定手段により推定された第１変化値を積算して、エンジンオイルに混入する水の混入の程度を示す第２指標値を推定する。水推定手段は、第１変化値が量を示していれば該第１変化値を累計して、或いは率を示していれば該第１変化値を乗算して、第２指標値を推定する。
【００２０】
本発明の混入推定装置の他の態様では、前記燃料検出手段は、前記検出された温度に基づいて、前記エンジンオイルに混入する前記アルコール燃料の変化の程度を示す第２変化値を推定する第２変化推定手段を含み、前記推定された第２変化値を積算して前記第１指標値を検出する。
【００２１】
この態様によれば、第２変化推定手段は、検出されたエンジンオイルの温度に基づいて、エンジンオイルに混入するアルコール燃料の変化の程度を示す第２変化値を推定する。具体的には例えば、エンジンオイルの温度と第２変化値との関係を定めるマップから第２変化値を求めればよい。或いは、所定の演算式により第２変化値を求めればよい。このようなマップは、例えば、エンジンオイルの温度、アルコールの溶解度等のパラメータを様々に変化させたシミュレーションの結果から、エンジンオイルの温度と第２変化値との関係を特定して構成すればよい。燃料検出手段は、推定された第２変化値を積算して第１指標値を検出する。
【００２２】
これにより、エンジンオイルの温度を検出しさえすれば、例えばＥＣＵ（Ｅｌｅｃｔｒｏｎｉｃ  Ｃｏｎｔｒｏｌ  Ｕｎｉｔ）等のコンピュータによって、第１及び第２指標値を求めることができ、実用上非常に有利である。
【００２３】
この第２変化値を推定する態様では、前記第２変化推定手段は、前記アルコール燃料のアルコール濃度を検出する濃度検出手段を含み、更に、前記検出されたアルコール濃度に基づいて、前記第２変化値を推定する。
【００２４】
このように構成すれば、濃度検出手段によりアルコール燃料中のアルコール濃度が自動的に検出されるので、第２変化値の推定精度を向上させることができる。また、操縦者等が予め、使用している燃料中のアルコール濃度を調べたり、設定したりすることを省くことができる。アルコール燃料を構成しているアルコールとガソリン等の他の燃料とでは沸点等が異なり、燃料中のアルコール濃度により燃料の混入の程度が異なる。従って、燃料中のアルコール濃度を検出することにより、第２変化値の推定精度、更には第１及び第２指標値の精度も向上し、例えば、エンジンオイルが劣化していないのに警告をしたり、或いはエンジンに重大な損傷を与えてしまってから警告をしたりということを防止することができる。
【００２５】
本発明の混入推定装置の他の態様では、前記オイル温度検出手段は、前記エンジンを冷却する冷却水の水温を検出する水温検出手段を含み、前記検出された水温に基づいて、前記エンジンオイルの温度を検出する。
【００２６】
この態様によれば、水温検出手段は、エンジンを冷却する例えばＬＬＣ（Ｌｏｎｇ  Ｌｉｆｅ  Ｃｏｏｌａｎｔ）等の冷却水の水温を、例えばエンジンのウォータジャケットの出口において検出する。オイル温度検出手段は、検出された水温に基づいて、例えば所定の演算式等によりエンジンオイルの温度を求める。これにより、例えばエンジンを設計する際に、エンジンオイル用の温度センサを考慮したり、配線等を考慮したりする必要が無く実用上非常に有利である。
【００２７】
本発明の混入推定方法は、上記課題を解決するために、車両に搭載され、アルコール燃料を使用可能なエンジンにおけるエンジンオイルの温度を検出するオイル温度検出工程と、前記エンジンオイルに含まれる前記アルコール燃料の混入の程度を示す第１指標値を検出する燃料検出工程と、前記検出された温度及び前記検出された第１指標値に基づいて、前記エンジンオイルに含まれる水の混入の程度を示す第２指標値を推定する水推定工程とを備える。
【００２８】
本発明の混入推定方法によれば、上述した本発明の混入推定装置と同様に、少なくともエンジンオイルに混入する水の混入の程度を示す指標値を推定することができる。
【００２９】
尚、本発明の混入推定方法においても、上述した本発明の混入推定装置における各種態様と同様の各種態様を採ることが可能である。
【００３０】
本発明のエンジンオイル回復装置は、上記課題を解決するために、上述した本発明の混入推定装置（但し、その各種態様を含む）と、前記検出された第１指標値が第１閾値より大きいか否かを判定する第１判定手段と、前記推定された第２指標値が第２閾値より大きいか否かを判定する第２判定手段と、前記第１及び第２判定手段のうち少なくとも一方が大きいと判定した場合に、前記車両を前記エンジンオイルの温度を上昇させる回復運転モードへ移行させる移行手段とを備える。
【００３１】
本発明のエンジンオイル回復装置によれば、上述した本発明の混入推定装置を備えるので、少なくともエンジンオイルに混入する水の混入の程度を示す第２指標値を推定することが可能である。第１判定手段は、検出された第１指標値が第１閾値より大きいか否かを判定する。第２判定手段は、検出された第２指標値が第２閾値より大きいか否かを判定する。ここに本発明に係る「第１閾値」及び「第２閾値」とは、第１及び第２判定手段による判定の基準とされる第１及び第２指標値に係る所定の閾値であり、例えば典型的には、混入量閾値又は濃度閾値である。この閾値は、予め実験的或いは経験的に、得られた混入量や濃度等のデータから、エンジンの動作又は車両の走行に支障をきたさない範囲、又は許容範囲になるようなデータを求め、固定値として予め設定してもよい。或いはメンテナンス時等に設定しなおせるようにしてもよいし、更に、例えば、エンジンの冷却水の水温等の他の物理量又はパラメータを考慮して、車両の走行中にリアルタイムで変化する可変値としてもよい。
【００３２】
移行手段は、第１及び第２判定手段のうち少なくとも一方が大きいと判定した場合、即ち、検出された第１指標値及び検出された第２指標値の少なくとも一方が、夫々対応する第１閾値及び第２閾値より大きいと判定された場合に、車両を回復運転モードへ移行させる。ここに本発明に係る「回復運転モード」とは、エンジンオイルの温度を上昇させて、エンジンオイルに混入している燃料及び水を蒸発させる運転モードをいう。具体的には例えば、アルコール燃料に主に用いられているエタノールの沸点を考慮して、エンジンオイルの温度が摂氏８０度になるように、ヒータ等による加熱を行う。或いは、エンジンの負荷を増加させエンジンの温度を上昇させ、エンジンオイルを加熱する。
【００３３】
尚、ハイブリッド車のように、エンジン以外の電動モータ等の駆動手段を備える車両であれば、エンジンの負荷を増加させるために、例えば、エンジンの運転時間を拡大したり、電動モータを発電機として作用させたりしてもよい。
【００３４】
検出された第１指標値及び検出された第２指標値のいずれもが、夫々対応する第１及び第２閾値より小さいと判定された場合、移行手段は、車両を回復運転モードへ移行させずに通常の運転モードを維持する。
【００３５】
このように、本発明のエンジンオイル回復装置では、第１及び第２判定手段のうち少なくとも一方が大きいと判定した場合に回復運転モードへ移行する。従って、本発明のエンジンオイル回復装置によれば、エンジンオイルに混入する燃料及び水の混入の程度を示す第１及び第２指標値を小さくすることができる。この結果、エンジンオイルの状態を適正に保つことができ、エンジンにおける摩擦の増加、磨耗や錆びによるエンジンの劣化を防止することができる。特に、エンジンを、例えば加速時のみ等、短時間しか駆動せず、エンジンが十分暖機しないハイブリッド車のような車両において、エンジンオイルを良好な状態に保つことができる。
【００３６】
本発明のエンジンオイル回復装置の一態様では、前記移行手段は、前記車両が前記回復運転モードへ移行した回数を計数する計数手段と、前記計数された回数が第３閾値より大きいか否かを判定する第３判定手段と、前記計数された回数が第３閾値より大きいと判定された場合に警告を行う警告手段とを有する。
【００３７】
この態様によれば、例えばカウンタである計数手段は、車両が回復運転モードへ移行した回数を計数する。第３判定手段は、計数された移行回数が第３閾値より大きいか否かを判定する。エンジンオイルは、燃料及び水による希釈以外に、例えば酸化や熱等によっても劣化する。このため、回復運転によって、エンジンオイルに混入している燃料及び水を減少させることはできるが、希釈以外の原因によるエンジンオイルの自然劣化を防止することは困難である。そこで、第３判定手段により、計数された移行回数が第３閾値より大きいと判定された場合に、警告手段は、例えば、操縦者等にエンジンオイルの交換時期である旨の警告を行う。これにより、操縦者が容易にしてエンジンオイルの劣化、又はエンジンオイルの交換時期を知ることができるので、実用上非常に有利である。
【００３８】
尚、本発明に係る計数手段は、回復運転モードへ移行した積算回数を計数してもよいし、連続して回復運転モードへ移行した回数を計数してもよい。或いは、移行回数の代わりに回復運転を行っている時間を測定してもよい。例えば、市街地において、主に短距離の移動に使用される車両では、回復運転中に目的地に到着してしまい、回復運転モードへ移行した回数が増加してしまう可能性がある。このような場合に、計数手段により時間を測定していれば、エンジンオイルの劣化を適切に評価することができる。また、本発明に係る「第３閾値」とは、第３判定手段による判定の基準とされる移行回数又は回復運転時間に係る所定の閾値であり、移行回数閾値又は回復運転時間閾値である。
【００３９】
本発明のエンジンオイル回復装置の他の態様では、前記移行手段は、前記車両が前記回復運転モードへ移行したことを通知する通知手段を有する。
【００４０】
この態様によれば、通知手段は、車両が回復運転モードへ移行したこと、又は回復運転中であることを通知する。これにより、操縦者等がエンジン又は車両の状態を知ることができ、実用上非常に有利である。特に、通常エンジンの動作時間が短いハイブリッド車等の車両において、エンジンの動作時間が長いことによる操縦者等の不安を解消させることができる。
【００４１】
本発明の作用及び他の利得は次に説明する実施するための最良の形態から明らかにされよう。
【発明を実施するための最良の形態】
【００４２】
以下、本発明のエンジンオイル回復装置に係る実施形態を、図１乃至７を参照して説明する。
【００４３】
先ず、図１を参照して本実施形態に係るエンジンオイル回復装置の構成について説明する。図１は、本実施形態に係るエンジンオイル回復装置のブロック図である。
【００４４】
図１において、エンジンオイル回復装置は、例えば、自動車等であるアルコール燃料を用いるエンジン１１を備える車両に搭載されている。該車両は、更に、電動モータ４０及び車両における各種電子制御を行うように構成されているＥＣＵ３０を備えている。
【００４５】
ＥＣＵ３０は、指令部３０１、判定部３０２、推定部３０３、メモリ３０４、燃料カウンタ３０５、水カウンタ３０６、移行カウンタ３０７、及び入出力回路３０８を有している。メモリ３０４は、例えば、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、バックアップＲＯＭ、フラッシュメモリ等の不揮発性メモリである。入出力回路３０８は、各センサ等の信号を入出力する。
【００４６】
尚、本実施形態に係る「指令部３０１」、「判定部３０２」、「推定部３０３」、「燃料カウンタ３０５」、「水カウンタ３０６」及び「移行カウンタ３０７」は、夫々、本発明に係る「移行手段」、「第１乃至第３推定手段」、「第１及び第２変化推定手段」、「燃料検出手段」、「水推定手段」、並びに「計数手段」の一例である。本実施形態では、各種電子制御用のＥＣＵ３０の一部を、エンジンオイル回復装置の一部として用いている。
【００４７】
エンジンオイル回復装置は、少なくともエンジンオイル１５に混入する水の混入の程度を示す、本発明に係る「第２指標値」の一例である混入水分量を推定する混入推定装置と、検出された本発明に係る「第１指標値」の一例である混入燃料量が第１閾値より大きいか否かの判定、及び推定された混入水分量が第２閾値より大きいか否かの判定を行う判定部３０２と、混入燃料量及び混入水分量のうち少なくとも一方が、夫々対応する第１及び第２閾値より大きいと判定された場合に、車両を回復運転モードへ移行させる指令部３０１とを備える。
【００４８】
混入推定装置は、エンジンオイル１５の温度を検出するオイル温度センサ２１と、エンジンオイル１５に混入する混入燃料量を検出する燃料カウンタ３０５と、検出された温度及び検出された混入燃料量に基づいて、エンジンオイル１５に混入する水の変化の程度を示す、本発明に係る「第１変化値」の一例である水分変化量を推定する推定部３０３と、該推定された水分変化量を積算して、エンジンオイル１５に混入する混入水分量を推定する水カウンタ３０６とを備える。
【００４９】
推定部３０３は、更に、オイル温度センサ２１により検出された温度に基づいて、エンジンオイル１５に混入するアルコール燃料の変化の程度を示す、本発明に係る「第２変化値」の一例である燃料変化量を推定する。燃料カウンタ３０５は、推定された燃料変化量を積算して、混入燃料量を検出する。
【００５０】
混入推定装置は、更に、燃料タンク１８におけるアルコール燃料中のアルコール濃度を検出する濃度センサ２４を備えている。尚、オイル温度センサ２１によりエンジンオイル１５の温度を検出する代わりに、水温センサ２２よりエンジン１１の冷却水１６の水温を検出し、該検出された水温に基づいてエンジンオイル１５の温度を検出してもよい。
【００５１】
エンジンオイル回復装置は、更に、エンジン１１のオイルパン１３に設けられたドレーンプラグ２３と、操縦者等に車両の状態を通知するインフォメーションディスプレイ５１及びスピーカー５２と、回復運転モードへ移行した回数を計数する移行カウンタ３０７とを備えて構成されている。ここに、本実施形態に係るインフォメーションディスプレイ５１及びスピーカー５２は、本発明に係る「通知手段」及び「警告手段」の一例である。
【００５２】
ここで、燃料カウンタ３０５及び水カウンタ３０６を含むＥＣＵ３０において、混入燃料量及び混入水分量を検出又は推定する方法について、図２乃至５を参照して説明を加える。
【００５３】
図２は、エンジン始動時におけるエンジンオイル１５に滴下する燃料量とエンジンオイル１５の温度との関係を定めるマップの一例である。図３は、エンジン運転時におけるエンジンオイル１５に滴下する燃料量とエンジンオイル１５の温度との関係を定めるマップの一例である。図４は、エンジンオイル１５から蒸発する燃料量とエンジンオイル１５の温度との関係を定めるマップの一例である。ここに、図２乃至４における実線は、アルコール燃料中のアルコール濃度が、例えば約１００％である高濃度の場合を、破線はアルコール濃度が、例えば２０〜５０％である中濃度の場合を、夫々示している。
【００５４】
図５は、エンジンオイル１５に混入している水の増減量とエンジンオイル１５の温度との関係を定めるマップの一例である。ここに図５における実線は、エンジンオイル１５中のアルコール燃料の濃度が、例えば１〜２％である高濃度の場合を、破線はアルコール燃料の濃度が、例えば０．２〜０．８％である中濃度の場合を、夫々示している。
【００５５】
図２乃至５における縦軸の値は、単位体積当たりの燃料量又は水分量であってもよいし、絶対量であってもよい。また、横軸は冷却水１６の水温であってもよい。尚、これらのマップは、例えば、エンジンオイルの温度、エンジンオイル中のアルコール濃度、水及び燃料の溶解度、燃料噴射量等のパラメータを様々に変化させたシミュレーションの結果から、上記各マップの物理量又はパラメータ間の関係を特定して構成すればよい。或いは、実験により構成すればよい。
【００５６】
エンジン１１の始動時又は運転時では、燃料噴射弁１７から噴射された燃料のうち余剰燃料が、シリンダ１２とピストン１４との間からエンジンオイル１５に滴下する。このため、先ず、判定部３０２によりエンジン１１の動作状態が判定される。推定部３０３は、該判定された動作状態に応じて、メモリ３０４に格納されている図２及び３に示すようなマップを選択し、オイル温度センサ２１により検出されたエンジンオイル１５の温度、及び濃度センサ２４により検出されたアルコール燃料中のアルコール濃度に基づいて、エンジンオイル１５に滴下する燃料量を推定する。
【００５７】
具体的には、エンジン１１の始動時は、推定部３０３は、メモリ３０４に格納されている図２に示すようなマップを選択し、該マップからエンジンオイル１５に滴下する燃料量を推定する。エンジン１１の運転時は、推定部３０３は、メモリ３０４に格納されている図３に示すようなマップを選択し、該マップからエンジンオイル１５に滴下する燃料量を推定する。エンジン１１の停止時は、燃料噴射弁１７からの燃料の噴射が無いので、推定部３０３は、滴下する燃料量をゼロとする。
【００５８】
推定部３０３は、更に、メモリ３０４に格納されている図４に示すようなマップを選択し、エンジンオイル１５の温度及びアルコール濃度に基づいて、エンジンオイル１５から蒸発する燃料量を推定する。ここに図４において、正の値は蒸発した燃料量を示し、負の値は液化した燃料量を示している。エンジンオイル１５の温度が高くなれば、蒸発する燃料量は増加するが、温度が低くなれば、燃料が液化し例えばシリンダ１２の内壁を伝ってエンジンオイル１５中へ混入する。
【００５９】
推定部３０３は、滴下する燃料量と蒸発する燃料量との差をとり、燃料変化量を求める。燃料カウンタ３０５は、求められた燃料変化量を積算して、混入燃料量を検出する。尚、図４に示すようなマップにおいて、蒸発した燃料量が負の値で示されていれば、推定部３０３は、滴下する燃料量と蒸発する燃料量との和をとり、燃料変化量を求める。
【００６０】
推定部３０３は、メモリ３０４に格納されている図５に示すようなマップを選択し、エンジンオイル１５の温度及び混入燃料量に基づいて、水分変化量を推定する。ここに図５において、正の値は増加した水分量を示し、負の値は減少した水分量を示している。
【００６１】
エンジンオイル１５の温度が高くなれば、水が蒸発するので、エンジンオイル１５中の水分は減少し、温度が低くなれば、水蒸気が液化してエンジンオイル１５中へ混入するので水分は増加する。尚、図５において、低温域で水分量が急増し、高温域で水分量が激減しているのは、エンジンオイル１５中に混入している燃料量（特に、アルコール量）が大きく変化することに起因している。水カウンタ３０６は、推定された水分変化量を積算して、混入水分量を推定する。
【００６２】
再び図１に戻り、ＥＣＵ３０における判定部３０２は、検出された混入燃料量及び推定された混入水分量が、夫々対応する第１閾値及び第２閾値より大きいか否かを判定する。混入燃料量及び混入水分量のうち少なくとも一方が、夫々対応する第１閾値及び第２閾値より大きいと判定された場合、指令部３０１は、エンジン１１の負荷を大きくして、エンジンオイル１５の温度を上昇させる回復運転モードへ車両を移行させる。
【００６３】
指令部３０１は、車両を回復運転モードへ移行させた場合、例えばインストルメントパネル内のインフォメーションディスプレイ５１に、回復運転中である旨を表示させ、操縦者等に通知を行う。移行カウンタ３０７は、回復運転モードへ移行した回数を計数する。
【００６４】
混入燃料量及び混入水分量のいずれもが、夫々対応する第１閾値及び第２閾値より小さいと判定された場合、指令部３０１は車両を回復運転モードへ移行させずに、エンジン１１又は電動モータ４０を使用する、或いはエンジン１１及び電動モータ４０を併用する通常運転モードを維持する。
【００６５】
判定部３０２は、移行カウンタ３０７により計数された移行回数が第３閾値より大きいか否かを判定する。移行回数が第３閾値より大きいと判定された場合、指令部３０１は、例えばインストルメントパネル内のインフォメーションディスプレイ５１に、エンジンオイル１５の交換時期である旨を表示させると共に、スピーカー５２から音声又は警報を出力させ操縦者等に警告を行う。
【００６６】
次に、以上のように構成されたエンジンオイル回復装置が搭載されている車両において、ＥＣＵ３０が実行する混入推定回復処理を図６及び７のフローチャートを用いて説明する。この混入推定回復処理は、主に車両が走行中に、例えば定期的に又は不定期的にコンマ数秒毎〜数秒毎に周期的に実行される。
【００６７】
図６において、先ず、混入推定処理により、混入燃料量及び混入水分量が推定される（ステップＳ１００）。
【００６８】
ここで、混入推定処理について、図７を参照して説明を加える。先ず、濃度センサ２４は、燃料タンク１８におけるアルコール燃料中のアルコール濃度を検出する（ステップＳ１０１）。次に、オイル温度センサ２１は、エンジンオイル１５の温度を検出する（ステップＳ１０２）。次に、判定部３０２は、エンジン１１の始動時であるか否かを判定する（ステップＳ１０３）。
【００６９】
エンジン１１の始動時である場合（ステップＳ１０３：Ｙｅｓ）、推定部３０３は、メモリ３０４に格納されている図２にしめすような、エンジン始動時におけるエンジンオイル１５に滴下する燃料量とエンジンオイル１５の温度との関係を定めるマップを選択し（ステップＳ１０４）、検出されたエンジンオイル１５の温度、及び検出されたアルコール濃度に基づいて、エンジンオイル１５に滴下する燃料量を推定する（ステップＳ１０７）。
【００７０】
エンジン１１の始動時でない場合（ステップＳ１０３：Ｎｏ）、続いて、エンジン１１の運転時であるか否かが判定される（ステップＳ１０５）。エンジン１１の運転時である場合（ステップＳ１０５：Ｙｅｓ）、推定部３０３は、メモリ３０４に格納されている図３に示すような、エンジン運転時におけるエンジンオイル１５に滴下する燃料量とエンジンオイル１５の温度との関係を定めるマップを選択し（ステップＳ１０６）、検出されたエンジンオイル１５の温度、及び検出されたアルコール濃度に基づいて、エンジンオイル１５に滴下する燃料量を推定する（ステップＳ１０７）。エンジン１１の運転時でない場合（ステップＳ１０５：Ｎｏ）、ステップＳ１０８の処理を行う。
【００７１】
次に、推定部３０３は、メモリ３０４に格納されている図４に示すような、エンジンオイル１５から蒸発する燃料量とエンジンオイル１５の温度との関係を定めるマップを選択し（ステップＳ１０８）、検出されたエンジンオイル１５の温度、及び検出されたアルコール濃度に基づいて、エンジンオイル１５から蒸発する燃料量を推定する（ステップＳ１０９）。推定部３０３は、滴下する燃料量と蒸発する燃料量との差をとり、燃料変化量を求め、燃料カウンタ３０５は、該求められた燃料変化量を積算して、混入燃料量を検出する（ステップＳ１１０）。
【００７２】
次に、推定部３０３は、メモリ３０４に格納されている図５に示すような、エンジンオイル１５に混入している水の増減量とエンジンオイル１５の温度との関係を定めるマップを選択し（ステップＳ１１１）、エンジンオイル１５の温度及び混入燃料量に基づいて、水分変化量を推定する（ステップＳ１１２）。水カウンタ３０６は、該推定された水分変化量を積算して、混入水分量を推定する（ステップＳ１１３）。
【００７３】
再び図６に戻り、判定部３０２は、車両が回復運転モードであることを示す、回復運転ｆｌａｇがＯＮであるか否かを判定する（ステップＳ２０１）。回復運転ｆｌａｇがＯＮでない場合（ステップＳ２０１：Ｎｏ）、即ち車両が通常運転モードである場合、次に混入燃料量が第１閾値より大きいか否かが判定される（ステップＳ２０２）。混入燃料量が第１閾値より小さいと判定された場合（ステップＳ２０２：Ｎｏ）、続いて、混入水分量が第２閾値より大きいか否かが判定される（ステップＳ２０３）。
【００７４】
混入燃料量が第１閾値より大きいと判定された場合（ステップＳ２０２：Ｙｅｓ）、又は混入水分量が第２閾値より大きいと判定された場合（ステップＳ２０３：Ｙｅｓ）、指令部３０１は、車両を回復運転モードへ移行させると共に、モニタ５１にその旨を表示させ、移行カウンタ３０７は、移行回数を計数する（ステップＳ２０７）。
【００７５】
混入水分量が第２閾値より小さいと判定された場合（ステップＳ２０３：Ｎｏ）、車両は通常運転モードを維持して（ステップＳ２０４）、処理を一旦終了する。
【００７６】
回復運転ｆｌａｇがＯＮである場合（ステップＳ２０１：Ｙｅｓ）、判定部３０２は、混入燃料量が第１閾値−αより小さいか否かを判定する。ここにαは保証値であり、回復運転により最低限蒸発させる燃料量である。これにより、回復運転が終了した後、すぐに再び回復運転モードへ移行することを防止することができる。尚、保証値αは、固定値であってもよいし、例えば、エンジンオイル１５の温度等に応じた可変値であってもよい。
【００７７】
混入燃料量が第１閾値−αより小さいと判定された場合（ステップＳ２０５：Ｙｅｓ）、続いて、混入水分量が第２閾値−βより小さいか否かが判定される（ステップＳ２０６）。ここにβは、αと同趣旨の保証値であり、固定値であってもよいし、例えば、エンジンオイル１５の温度等に応じた可変値であってもよい。混入水分量が第２閾値−βより小さいと判定された場合（ステップＳ２０６：Ｙｅｓ）、指令部３０１は、車両を通常運転モードへ移行させ（ステップＳ２０４）、処理を一旦終了する。
【００７８】
混入燃料量が第１閾値−αより大きいと判定された場合（ステップＳ２０５：Ｎｏ）、又は、混入水分量が第２閾値−βより大きいと判定された場合は（ステップＳ２０６：Ｎｏ）、回復運転を維持する（ステップＳ２０７）。
【００７９】
判定部３０２は、移行カウンタ３０７により計数された移行回数が、第３閾値より大きいか否かを判定する（ステップＳ２０８）。移行回数が第３閾値より小さければ（ステップＳ２０８：Ｎｏ）、一旦処理を終了する。移行回数が第３閾値より大きければ（ステップＳ２０８：Ｙｅｓ）、指令部３０１は、モニタ５１にその旨を表示させると共に、スピーカー５２から音声又は警報を出力させ、操縦者等に警告を行う（ステップＳ２０９）。
【００８０】
次に、判定部３０２は、エンジンオイル１５の交換が実施されたか否かを判定する（ステップＳ２１０）。エンジンオイル１５の交換が実施されたか否かは、例えば、オイルパン１３に設けられているドレーンプラグ２３に電流を予め流し、エンジンオイル１５の交換の際に、ドレーンプラグ２３が外されたことにより、電流が流れなくなることを検出し判定すればよい。或いは、オイルレベルゲージの変化で判定してもよいし、エンジンオイル１５の交換後に作業者等が手動で入力してもよい。
【００８１】
エンジンオイル１５の交換が実施された場合（ステップＳ２１０：Ｙｅｓ）、指令部３０１は、燃料カウンタ３０５、水カウンタ３０６及び移行カウンタ３０７の値を初期化し（ステップＳ２１１）、処理を一旦終了する。エンジンオイル１５の交換が実施されない場合（ステップＳ２１０：Ｎｏ）、処理を一旦終了する。
【００８２】
以上のように、本実施形態によれば、エンジンオイル１５の温度、及びアルコール燃料中のアルコール濃度に基づいて、エンジンオイル１５に混入する混入燃料量及び混入水分量を推定することができる。更に、エンジンオイル１５の温度が上昇するような回復運転を行うことにより、混入燃料量及び混入水分量を小さくすることができる。
【００８３】
尚、本発明は、上述した実施形態に限られるものではなく、請求の範囲及び明細書全体から読み取れる発明の要旨、或いは思想に反しない範囲で適宜変更可能であり、そのような変更を伴う混入推定装置及び方法、並びにエンジンオイル回復装置もまた、本発明の技術的範囲に含まれるものである。
【図面の簡単な説明】
【００８４】
【図１】本発明の実施形態に係るエンジンオイル回復装置のブロック図である。
【図２】エンジン始動時におけるエンジンオイルに滴下する燃料量とエンジンオイルの温度との関係を定めるマップの一例である。
【図３】エンジン運転時におけるエンジンオイルに滴下する燃料量とエンジンオイルの温度との関係を定めるマップの一例である。
【図４】エンジンオイルから蒸発する燃料量とエンジンオイルの温度との関係を定めるマップの一例である。
【図５】エンジンオイルに混入している水の増減量とエンジンオイルの温度との関係を定めるマップの一例である。
【図６】本発明の実施形態に係るＥＣＵにおける混入推定回復処理を示すフローチャートである。
【図７】本発明の実施形態に係るＥＣＵにおける混入推定処理を示すフローチャートである。
【符号の説明】
【００８５】
１１…エンジン、１２…シリンダ、１３…オイルパン、１４…ピストン、１５…エンジンオイル、１６…冷却水、１７…燃料噴射弁、１８…燃料タンク、２１…オイル温度センサ、２２…水温センサ、２３…ドレーンプラグ、２４…濃度センサ、３０…ＥＣＵ、４０…電動モータ、５１…インフォメーションディスプレイ、５２…スピーカー
【図１】
2008121621.tif 000003
【図２】
2008121621.tif 000004
【図３】
2008121621.tif 000005
【図４】
2008121621.tif 000006
【図５】
2008121621.tif 000007
【図６】
2008121621.tif 000008
【図７】
2008121621.tif 000009